(57)【要約】【課題】ハリスの挿入が簡単で、常に同一の簡単な手順と操作により、誰でも安全で素早く確実に釣針へ到達し外し取れる釣針外し具を提供する。【解決手段】本体Ａと補助体Ｂで構成し、押下部１３と該本体Ａの把持部１７との間隙は前方向へ徐々に狭まり先端部７ｂで先端部７ａと重なり前半の部分が合体し一体となって形成され、分岐点４近傍には上下方向に貫通する略楕円形もしくは略円形のガイド穴３を有し、先端部７ｂのガイド穴３の半径方向の左右何れか一方には合体した前半の部分から分離しスリットとなる袖口５ｂを有し、下側である本体Ａには袖口５ｂとは左右逆側に同様の袖口５ａを有し、先端部７ａと７ｂは全体が先端１方向へ徐々に鋭角に尖りながら、上面が凸状で下方へ緩やかに湾曲し、ガイド穴３から先端１にかけて溝状窪２を有し、軸方向後方へ扇状窪６を有している。【選択図】図１
2014117161.tif 000002
【特許請求の範囲】
【請求項１】
本体Ａと補助体Ｂで構成され、本体Ａは把持部１７と把持部１７から軸方向前方へ延伸する下腕部９と先端部７ａで成り、側面視において、補助体Ｂは把持部１７の上方に位置する押下部１３と押下部１３から該本体Ａと同軸方向へ延伸する上腕部８と先端部７ｂで成り、かつ、押下部１３と該本体Ａの把持部１７との間隙は前方向へ徐々に狭まり、先端部７ｂで先端部７ａと重なり前半の部分が合体し一体となって形成され、分岐を開始している分岐点４近傍には上下方向に貫通する略楕円形もしくは略円形のガイド穴３を有し、平面視において、先端部７ｂのガイド穴３の半径方向の左右何れか一方には合体した前半の部分から分離しスリットとなる袖口５ｂを有し、かつ、本体Ａの分岐点４近傍には前記袖口とは左右逆側に同様のスリットとなる袖口５ａを有していることを特徴とする釣針外し具。
【請求項２】
側面視において、先端部７ａと７ｂは全体が先端１方向へ徐々に鋭角に尖りながら、かつ、上面が凸状で下方へ緩やかに湾曲しており、平面視において、先端部７ａと７ｂは、先端１方向へ徐々に幅が広くなり分岐点４付近で最大幅となり以降は徐々に絞り込まれ鋭角に尖りながら先端１に至り、かつ、ガイド穴３から先端１にかけて溝状窪２を上面に有していることを特徴とする請求項１の釣針外し具。
【請求項３】
平面視において、先端部７ａのガイド穴３から軸方向後方へ扇状窪６を上面に有していることを特徴とする請求項１及び請求項２の釣針外し具。
【発明の詳細な説明】
【技術分野】
【０００１】
本発明は、釣った魚に掛かった釣針を外し取る為の釣針外し具に関する。
【背景技術】
【０００２】
魚が釣れたとき、釣針が魚の口や体など外部の目視できる場所に掛かっている状態であれば、素手でも外し取ることが可能である。しかしこの場合でも釣針を外そうと魚に触ると暴れるから、魚をしっかり捕まえ保定しなければならず、手が汚れたり痛い思いをしたりし簡単には外し取れない。また、鋭い歯やトゲ等を持つもの、あるいは毒が有るなど危険な魚種の場合に毎度仕掛けを切るのは勿体無い。
【０００３】
因みに近年は、キャッチ＆リリースをする状況も増え定着してきた様子であるが、魚を少しでも傷付けず解放するには、できるだけ早く釣針を外し取ることが必要である。
【０００４】
このようなとき使用されている従来の技術による釣針外し具は、本体が棒状で先端部分に設けた環状の空洞部分をガイドとして、ここに有る切欠きから誘導線としてハリス（釣り仕掛けの幹糸から枝分かれし釣針と繋がっている細い糸。以下ハリス）を目視で直接通し入れ、このハリスを引っ張ることで釣針に到達させ、先端部分の特定箇所に釣針を固定し外し取る方式のものが一般的に使われている。この他にも多種多様の釣針外し具が開発され普及している。
【０００５】
過去に開発された釣針外し具の公知の技術の一例を以下に示す。
特許文献１の「釣針外し具」は、本体と中空パイプの２つの部材で構成され、本体の外側を中空パイプがスライドする構造で、本体の先端が鋭角で空洞部分が有り、そこに設けた切欠きから目視でハリスを挿入しそのパイプを操作すると切欠きが塞がれ、このハリスを引っ張ることで釣針に到達させ、先端部を魚の口腔内に入れそのパイプを更に操作すると、先端部の特定箇所に釣針を掴む格好で固定されるとともに釣針の針先の向きを変える力が働き、抜く時釣針が逆向きになり再度針掛かりしないものである。
【０００６】
しかし、未だペンチやピンセットなどを釣針外しとして代用している釣り人が少なからずいる。これは従来の技術による釣針外し具の形状および構造などが不十分なことにより、処理が不安定となり上手く外し取れない場合が多く、特に、魚に飲み込まれ喉の奥に釣針が掛かりなおかつ口を堅く閉じている場合には魚の口腔内へ挿入しにくく、魚をしっかり捕まえ保定し口をこじ開けたり、釣針の位置を目視で確認しながら外し取ったりと、結局は使い勝手が悪く処理に手間取り、煩わしさを感じている。これでは代用品でも大差が無いから釣針外し具を使用していないのである。
【０００７】
従来の釣針外し具の欠点を以下にまとめ列記する。
１．先端部の切欠きから空洞部分にハリスを直接通すもので、入り口が狭いなど挿入しにくい。
２．通し入れたハリスが、釣針を外し取る操作の途中に釣針外し具から外れ易い。
３．魚を保定し口をこじ開けなければ、口腔内へ釣針外し具を挿入できない。
４．使用時の状況や針掛かり状態によっては、常に同一の手順と操作で処理ができない。
５．目視で確認しながら釣針外し具を操作しなければ、釣針を確実に外すことができない。
６．外した後の釣針を口腔内から取り出すとき、再度魚にすぐ引掛かってしまう。
７．構造や手順が独特で複雑な為、手袋を着用のとき、若しくは手元が暗いと扱いにくい。
８．釣針外し具を操作すると形状や動作の設定が不十分で、ハリスを痛め魚も傷付ける。
【先行技術文献】
【特許文献】
【０００８】
【特許文献１】特許第４１２２４６１号公報
【発明の概要】
【発明が解決しようとする課題】
【０００９】
本発明の目的は、目視での確認がいらず、魚に触る必要が無く、再度針掛かりせず、使用時の状況や針掛かり部位にも影響されずその性能を発揮でき、常に同一の簡単な手順と操作により誰でも安全で素早く確実な処理ができる釣針外し具を提供することである。
【００１０】
その為には、至当適切な形状および構造や動作の構成と設定などに新しい技術の採用が必要不可欠である。特に、従来の技術による釣針外し具は、最初のハリスを挿入する操作が面倒であること、および操作の途中にハリスが外れ易いこと、更に魚の口腔内へ挿入しにくいことが重大な欠点なので一新する必要がある。
【００１１】
特許文献１の「釣針外し具」は、本体と中空パイプの構成によりスライドすることで切欠きが塞がれるからハリスが操作の途中で外れることは少なく、かつ釣針の向きが変わり、外した後の口腔内から抜く時に再度引っ掛からないのは良いが、ハリスの挿入口が小さく挿入が簡単とは言えず、魚に飲み込まれ喉の奥に釣針が掛かりなおかつ口を堅く閉じている場合は、先端の形状および構造が不十分なことによりハリスの位置が不安定になるので口腔内へ簡単に挿入できないこと、更に釣針の向きが変わるとハリスが折り曲げられ痛めることなどが欠点である。
【００１２】
このように、特許文献１に記載の釣針外し具では形状および構造が不十分なので、課題を全て解決していない。
【００１３】
熟練者も勿論であるが、特に、視力の衰えを感じている熟年者および高齢者、汚れが気になる釣りガール、魚釣りに不慣れな初心者にとって釣針を上手く外し取れないことは精神的に負担が大きく、釣りを楽しむ上での妨げとなっているのは間違い無い。これらの釣り人が前記のような不便を解消する画期的な釣針外し具の早期開発と普及を待ち望んでいる。もしかすると、これらの不便が解決されていないことが近年の釣り人口を減少させている原因のひとつなのかも知れない。
【課題を解決するための手段】
【００１４】
本発明は、前記の一般的に使用されている従来の技術による釣針外し具の優れている点である、「先端部分に設けた環状の空洞部分をガイドとし、そこに誘導線としてハリスを通し入れ、これを引っ張ることで釣針に到達させ、先端部分の特定箇所に釣針を固定し外し取る方式」を利用するが、処理が不安定となり上手く外せない原因となっている形状および構造が不十分である欠点を、至当適切な形状および構造や動作の構成と設定による新しい技術の採用で解消する。
【００１５】
請求項１について、「目視での確認がいらず、ガイドとなる空洞部分に誘導線となるハリスを通し入れ易く外れにくくする」為に、本体Ａと補助体Ｂで構成され、本体Ａは把持部１７と把持部１７から軸方向前方へ延伸する下腕部９と先端部７ａで成り、側面視において、補助体Ｂは把持部１７の上方に位置する押下部１３と押下部１３から該本体Ａと同軸方向へ延伸する上腕部８と先端部７ｂで成り、かつ、押下部１３と該本体Ａの把持部１７との間隙は前方向へ徐々に狭まり、先端部７ｂで先端部７ａと重なり前半の部分が合体し一体となって形成され、分岐を開始している分岐点４近傍には上下方向に貫通する略楕円形もしくは略円形のガイド穴３を有し、平面視において、先端部７ｂのガイド穴３の半径方向の左右何れか一方には合体した前半の部分から分離しスリットとなる袖口５ｂを有し、かつ、本体Ａの分岐点４近傍には前記袖口とは左右逆側に同様のスリットとなる袖口５ａを有していることを特徴とする。
【００１６】
請求項２について、「魚が口を堅く閉じていても魚に触らずに自然に口腔内へ先端部が挿入されるようにする」為に、側面視において、先端部７ａと７ｂは全体が先端１方向へ徐々に鋭角に尖りながら、かつ、上面が凸状で下方へ緩やかに湾曲しており、平面視において、先端部７ａと７ｂは、先端１方向へ徐々に幅が広くなり分岐点４付近で最大幅となり以降は徐々に絞り込まれ鋭角に尖りながら先端１に至り、かつ、ガイド穴３から先端１にかけて溝状窪２を上面に有していることを特徴とする。
【００１７】
請求項３について、「釣針を外した後に魚の口腔内での再度針掛かりを無くする」為に、平面視において、先端部７ａのガイド穴３から軸方向後方へ扇状窪６を上面に有していることを特徴とする。
【発明の効果】
【００１８】
以上のように、新しい技術により８つの欠点が解消され、従来の釣針外し具では確実な処理ができない原因となっている形状および構造を、本発明が改善したことにより創出された動作や機能による効用および効果は次の通りである。
【００１９】
本発明の特に目覚ましい効果は、一連の確実な処理をさせる機能とその優れた操作性であり、クリップのように物を挟み込む形状と動作を採用することにより、最初の手順である釣針外し具の導入口から誘導線となるハリスを導き入れる操作が「導入口手前の把持部に押し当て本体を引くだけ」と非常に容易くなり、一気に先端部のガイド穴へ素早く確実に通し入れることを可能とし、かつ、ガイド穴に送り込まれたハリスは故意に抜き取るか魚から釣針を外すまで操作の途中で外れることが無いから、その後の確実な操作と素早い処理に繋がる。
【００２０】
更に、前記の形状と動作および操作と連係する、先端部の各部位を至当適切な形状にしたその相乗効果により、特に従来の釣り針外し具では困難であった、魚が釣針を飲み込み喉に刺さり口を堅く閉じている場合であっても、「通常と全く同一の手順と操作で魚の口腔内へ導かれる」ように挿入が可能になった。
【００２１】
また、先端部の上面が凸状で下方へ緩やかに湾曲し、釣針が収まり密着固定される扇状窪が有る形状により、再度針掛かりせず釣針が外れた反動で自然に魚の口腔内から抜け出て来ることとなるので、魚に触って手が汚れるとか痛い思いをするとかも無ければ、不用意に釣針が外れケガをする危険も無く安全に使用できる。
【００２２】
これら全ての操作は誘導線であるハリスの張り具合や軽いショックなどが合図となり、手の感覚だけで十分に進捗状況が認識でき、目視での確認もいらず、手袋を着用しているときや手が悴む冬季、もしくは手元が暗い夜など使用時の状況および針掛かりの部位や状態にも影響されず、常に同一の簡単な手順と操作でその性能が発揮されるので、本発明を使用する全ての釣り人において技術や経験・年齢・性別・言語の違いなど一切関係無く、誰もが自然に迷うこと無く取り扱うことができる。
【００２３】
釣針を外す処理に手間取ると魚は暴れて体を打ち付け打撲傷になり傷付くが、本発明を使用すると、ハリスを導入口から導き入れ釣針を外し取るまでに要する操作時間は、最短で３秒程度と驚くほどの素早さを実現しているのでそれを回避することが可能であり、食用として釣り上げた場合は鮮度の維持を助け、またキャッチ＆リリースの場合でも魚を傷めず早く解放できるから魚の保護などにも貢献できる。
【００２４】
本発明の新しい技術によるシンプルな形状と簡単な構造及び動作は、長期の使用に耐え、経年経過による動作不良や損壊が起きにくく、もし過失などにより分岐点から破損した場合でも、本体若しくは補助体のどちらか一方が一般的に使用されている釣針外し具の形状を保ち釣針を外す機能は残るから、応急での使用が可能である。
【００２５】
加えて、本発明は、新しい技術によるシンプルな形状および構造を採用しているので、これを製造するのは簡単であり、かつコストも抑えることができるから、大量生産が可能である。
【００２６】
しかし何よりも、画期的な釣針外し具が誕生し普及することにより、これを使用する釣り人が釣針を外す処理の心配をせずに釣りを楽しめるようになることが最大の効果である。
【図面の簡単な説明】
【００２７】
【図１】本発明の斜視図
【図２】本発明の拡大正面図
【図３】本発明の右側面図
【図４】本発明の平面図
【図５】ハリスがガイド穴へ挿入される仕組みを示した拡大図
【図６】ハリスが導入開始からガイド穴へ到達する過程を示した図
【図７】ハリスが溝状窪に自然とはまる状態を示した図
【図８】先端が魚の上下口唇間に割り入る状態を示した図
【図９】釣針を外し魚の口腔内から出てきた状態を示した図
【図１０】釣針が扇状窪に密着固定される状態を示した拡大断面図
【発明を実施するための形態】
【００２８】
本発明の、形状および構造と動作や役割の構成を、図を用いて説明する。本体は図１から図４の基本図のように、本体Ａと補助体Ｂで全体が構成され、以下記述のように各部位へ至当適切な形状を配置した構成で一体に形成されている。
【００２９】
図３の通り、側面視において、先端部７ａと７ｂは魚の口腔内へ挿入し易くする為に先端１に向かって緩やかに下方へ湾曲し、かつ、先端１に向かって鋭角になり先端１が尖っている。また、本体Ａは分岐点４から把持部１７向かって分岐を開始し後端１９に至り、補助体Ｂは分岐点４から押下部１３に向かって分岐を開始し、本体Ａの指当て部分１０の上面で分岐終点１４となり上腕端部１５に至り、ここをハリスＬの導入口１６として利用しており、本体Ａと補助体Ｂとの間隙は後方から前方に向かって徐々に狭まっており、分岐点４の近傍にはハリスＬがガイド穴３に挿入される為のスリットを形成する袖口５ａが有り、補助体Ｂの分岐点４近傍には袖口５ａとは左右逆側になるので表示されていないが同様のスリットとなる袖口５ｂを有し、これらスリットはハリスが通過可能な間隙となっている。この仕組みと構造を示しているのが図５であり、先端部７ａと７ｂが合体により一体となり、ガイド穴３の円周がコイル状に１回転半していることが見て取れる。
【００３０】
図４の通り、平面視において、先端部７ａと７ｂは、先端１方向へ徐々に幅が広くなり分岐点４付近で最大幅となり以降は徐々に絞り込まれ鋭角に尖りながら先端１に至り、かつ、貫通する略楕円形もしくは略円形のガイド穴３を有し、分岐点４の近傍にはハリスＬがガイド穴３に挿入される為のスリットを形成する袖口５ａが有り、また、ガイド穴３のから先端１側にはハリスＬを本体中心線上に導き留めておくことができる溝状窪み２が、軸方向後方には外れた釣針Ｈが密着固定される扇状窪６が有り、上腕部８後方に押下部１３が有り親指Ｇａで押さえ易い形状と位置で、把持部１７の下腕部９前方に指当て部１０が有り人差指Ｇｂで押さえ易い形状と位置となっている。操作には関係しないが紐などを繋ぐことができるよう、後端１９付近には上下方向に貫通したホルダーホール１８が備えてある。また把持部１７は握り易くする為、最も太く、後端１９に向かって細くなっている。
【００３１】
なお、図１の通り、指当て部１０の上面に凹部分１２が有るが、これは補助体Ｂが押下部１３を押下することによって閉じられたとき、上腕部の凸部１１と合致する形状であるから左右の方向に位置ずれせず、より確実な操作を補完している。また、上記それぞれの形状は単一の役割では無く連係しており、その相乗効果が画期的な機能を創出している。
【実施例】
【００３２】
本発明の実施例として、特に厄介な、魚に飲み込まれ喉の奥に釣針が掛かりなおかつ口を堅く閉じている場合を想定して説明する。釣針を外す準備段階では、釣竿からそのまま釣れた魚をぶら下げた状態でも十分処理できるが、以後の操作を安定させる為できれば誘導線となるハリスを左手に持った方が確実でより良い。
【００３３】
最初の操作として、図６のように釣針外し具の本体は釣り人自身と平行になるよう横向きに右手Ｇで持ち、次に把持部１７の上面の分岐終点１４後方の挿入開始位置Ｐ１（ハリス導入口１６）にハリスＬを下から乗せるように垂直に当て、本体を横に引くと、簡単に上腕部８と下腕部９との間隙へ滑るように導き入れられ、通過位置Ｐ２を通り、そのまま一気に袖口５ａと５ｂのスリットを抜けガイド穴３へと移動し素早く確実に通し入れられ到達位置Ｐ３となり、これでも外れることはほぼ無いが、上腕端部１５の押下部１３を親指Ｇａで押さえると袖口５ａと５ｂ迄の間隙がなお一層しっかりと閉じられ、ガイド穴３に挿入されたハリスＬは故意に抜き取るか魚Ｆから釣針Ｈを外し取るまで操作の途中で外れることが無い。
【００３４】
この時点でハリスＬが自動的に先端部７ｂの分岐点４より前方の上面に乗り上げる姿勢となっているから、図７のように先端１を魚Ｆの方へ向けるように変えると、ハリスＬが溝状窪２に自然とはまる。この状態から左手に持っていたハリスＬを手前に引っ張る操作をすれば、各形状等との相乗効果により先端１はハリスＬに沿って導かれ、図８のようにハリスＬが本体中心線上に導き留められていることにより先端１が魚Ｆの上下口唇間にピンポイントに割り入る状態で自然に口腔内へ導き入れられる。ハリスＬが引っ張れなくなったら図１０のように釣針Ｈが扇状窪６へ到達した状態であるから、この時点で左手に持っていたハリスＬは張った状態のまま右手Ｇの人差指Ｇｂに移し替え、指当て部分１０をしっかり押さえるとより安全で簡単に操作できる。そして素早く小突いてやると慣性の法則により釣針Ｈが刺さっていた箇所から外れ、扇状窪６に密着固定されるから再度針掛かりせず、図９のように本体は素早く小突いた反動により魚Ｆの口腔内から自然と抜け出て来るので、魚Ｆに触ること無く処理を完了できる。
因みに、この一連の操作はハリスの張りやショック等手の感覚だけで十分に進捗状況が認識できるので、目視での確認も魚に触る必要も無く、数回使用し慣れると最短３秒程度で処理を完了することが可能である。
【００３５】
なお、魚の口や体など外部の目視できる場所に掛かっている通常の針掛かりの場合も、前記と同一の手順と操作であるが、ハリスＬを本体中心線上に導き留めておく必要が無いので、もっと簡単に多少大雑把でも一気に処理は完了となる。つまり、どんな場合でも常に全く同一の手順と操作をすれば良いので取り扱いに迷うことが無い。
【符号の説明】
【００３６】
Ａ：本体
Ｂ：補助体
１：先端
２：溝状窪
３：ガイド穴
４：分岐点
５ａ、５ｂ：袖口
６：扇状窪
７ａ、７ｂ：先端部
８：上腕部
９：下腕部
１０：指当て部分
１１：凸部
１２：凹部
１３：押下部
１４：分岐終点
１５：上腕端部
１６：ハリス導入口
１７：把持部
１８：ホルダーホール
１９：後端
Ｌ：ハリス
Ｈ：釣針
Ｆ：魚
Ｇ：右手
Ｇａ：親指
Ｇｂ：人差指
Ｐ１：挿入開始位置
Ｐ２：通過位置
Ｐ３：到達位置
【図１】
2014117161.tif 000003
【図２】
2014117161.tif 000004
【図３】
2014117161.tif 000005
【図４】
2014117161.tif 000006
【図５】
2014117161.tif 000007
【図６】
2014117161.tif 000008
【図７】
2014117161.tif 000009
【図８】
2014117161.tif 000010
【図９】
2014117161.tif 000011
【図１０】
2014117161.tif 000012